(57)【特許請求の範囲】
【請求項１】
建造物の各種作業に用いられる仮設足場構造において、
隣接する一対の垂直枠間に架け渡される上下一対の水平枠と、前記各水平枠の互い違いの端部間に架け渡されるブレースとを備え、
前記各水平枠の端部と前記ブレースの端部とが回動可能に連結され、
返し板の突出により係止孔からの抜け止めがなされると共に前記返し板の没入により前記係止孔に対して着脱自在となる係止ピンを備え、
前記各水平枠の一端部には前記係止ピンが、他端部には前記係止孔がそれぞれ設けられ、
前記各水平枠がそれぞれ複数連結されることで、平面状をなす足場組体の上下一対の組体水平枠が形成されることを特徴とする仮設足場構造。
【請求項２】
前記各組体水平枠の両端部に前記係止ピンが位置するように、前記各組体水平枠の一方の最外側に位置する水平枠の両端部に前記係止ピンが設けられることを特徴とする請求項１に記載の仮設足場構造。
【請求項３】
前記各組体水平枠が手すりであることを特徴とする請求項１又は２に記載の仮設足場構造。
【請求項４】
前記各水平枠の前記ブレース用の連結部に、前記係止ピン及び係止孔の一方が設けられ、前記ブレースの両端部に、前記連結部に設けた係止ピン又は係止孔に対応する係止孔又は係止ピンが設けられることを特徴とする請求項１から３の何れか一項に記載の仮設足場構造。
【発明の詳細な説明】
【技術分野】
【０００１】
本発明は、ボイラの点検補修等に用いられる仮設足場の構造に関する。
【背景技術】
【０００２】
従来、建造物の各種作業用に多段の仮設足場が多く用いられている（例えば、特許文献１，２参照）、
【先行技術文献】
【特許文献】
【０００３】
【特許文献１】特開２００１−２５４４９５号公報
【特許文献２】特開平１１−２８０２５１号公報
【発明の概要】
【発明が解決しようとする課題】
【０００４】
ところで、上記仮設足場は、その搬送を容易にするべく複数の要素に分割され、これら各要素を必要な高さ及び幅となるように現場で組み付けて用いられる。しかし、仮設足場の設置には多くの搬送工数及び組み立て工数を要することから、各要素の搬送性及び組み立て性を向上できるような構成が常に要望されている。すなわち、各要素を単にフック構造やクランプ構造等により組み付けて足場とする従来構造では、各要素の現場への搬入出や着脱作業に多くの工数を要し、足場架設作業に占める割合が大きくなっていた。
【０００５】
そこで本発明は、建造物の各種作業に用いられる仮設足場構造において、足場構成要素の搬送や組み立てを容易にしてコスト削減を図ることを目的とする。
【課題を解決するための手段】
【０００６】
上記課題の解決手段として、請求項１に記載した発明は、建造物の各種作業に用いられる仮設足場構造において、隣接する一対の垂直枠間に架け渡される上下一対の水平枠と、前記各水平枠の互い違いの端部間に架け渡されるブレースとを備え、前記各水平枠の端部と前記ブレースの端部とが回動可能に連結され、返し板の突出により係止孔からの抜け止めがなされると共に前記返し板の没入により前記係止孔に対して着脱自在となる係止ピンを備え、前記各水平枠の一端部には前記係止ピンが、他端部には前記係止孔がそれぞれ設けられ、前記各水平枠がそれぞれ複数連結されることで、平面状をなす足場組体の上下一対の組体水平枠が形成されることを特徴とする。
請求項２に記載した発明は、前記各組体水平枠の両端部に前記係止ピンが位置するように、前記各組体水平枠の一方の最外側に位置する水平枠の両端部に前記係止ピンが設けられることを特徴とする。
請求項３に記載した発明は、前記各組体水平枠が手すりであることを特徴とする。
請求項４に記載した発明は、前記各水平枠の前記ブレース用の連結部に、前記係止ピン及び係止孔の一方が設けられ、前記ブレースの両端部に、前記連結部に設けた係止ピン又は係止孔に対応する係止孔又は係止ピンが設けられることを特徴とする。
【発明の効果】
【０００７】
請求項１に記載した発明によれば、仮設足場に設けるブレースを介して上下一対の水平枠を折り畳み可能に連結することで、各水平枠及びブレースの三者を一体的かつ折り畳み可能に取り扱うことができ、各水平枠及びブレースの搬送や組み立てを容易にできる。また、足場架設作業の工数低減によるコスト削減を図ることができる。また、各水平枠を複数連結して各組体水平枠を形成する際に、各水平枠の端部同士を係止ピン及び係止孔により着脱容易に連結できる。
請求項２，３に記載した発明によれば、各組体水平枠（手すり）の両端部は共に係止ピンにより各垂直枠に連結されるため、各組体水平枠の長手方向の差異を無くすことができる。さらに、各垂直枠には被係止手段のみを設けておけばよく、その構成を簡素化できる。
請求項４に記載した発明によれば、各水平枠とブレースとを係止ピン及び係止孔により連結することで、各水平枠とブレースとを着脱容易（分解容易）にしてこれらの保管や搬送の自由度を向上できる。また、ブレース連結用の係止ピン及び係止孔を各水平枠連結用の係止ピン及び係止孔と共用することで、さらなるコストダウンを図ることができる。
【図面の簡単な説明】
【０００８】
【図１】本発明の実施形態における吊り足場の正面図である。
【図２】（ａ）は上記吊り足場の上下一対の水平枠とブレースとからなる組体の正面図、（ｂ）は（ａ）のＡ部拡大図である。
【図３】上記水平枠の連結構造を示す平面図である。
【発明を実施するための形態】
【０００９】
以下、本発明の実施形態について図面を参照して説明する。
図１に示す吊り足場（仮設足場）１は、例えばボイラ２の外周壁２ａ内側に吊り下げられて壁面の点検、補修等を行うためのものである。
ボイラ２の上端部内側には、外周壁２ａに形成された貫通孔２ｂを通じて例えばＨ形鋼からなる主梁３が架設され、この主梁３の下方に吊り足場１が吊り下げられる。
【００１０】
主梁３上には、例えば主梁３よりも小形のＨ形鋼からなる足場用梁４が固定され、この足場用梁４に備える不図示のウインチから延びるワイヤ５に、吊り足場１の一ブロック分（この実施形態では四本の垂直枠７，２２を有する分）が吊り下げられる。以下、前記吊り足場１の一ブロック分を足場組体６という。
【００１１】
足場組体６は、例えばボイラ２の下端部内（ホッパ内）にて不図示のマンホールから投入された資材を二ピッチ分（二階層分）だけ先組みし、この先組み部分６ａを前記ワイヤ５で吊揚げつつ以降の足場（以下、後組み部分６ｂという）を一ピッチ分ずつ組み立てることで、多数ピッチを有する平面状に形成される。
【００１２】
なお、詳細な図示は略すが、足場組体６は、ボイラ２の外周壁２ａの内側に沿って複数並ぶように配設され、これらが互いに連結されることで、ボイラ２の外周壁２ａの全体に渡る吊り足場（仮設足場）１が形成される。
【００１３】
足場組体６の先組み部分６ａは、丸鋼管からなる既存の足場材を主に四本の垂直枠７を形成する。以下、各垂直枠７を図中左側から順に第一〜第四垂直枠７ａ〜７ｄということがある。各垂直枠７は、前記先組み部分６ａにおける二ピッチ分の長さを有する。
【００１４】
先組み部分６ａの最外側に位置する一対の垂直枠７（第一及び第四垂直枠７ａ，７ｄ）は、各々の上端部が連結板及びピン等からなる吊り金具８を介して足場用梁４に取り付けられる。先組み部分６ａの内側に位置する一対の垂直枠７（第二及び第三垂直枠７ｂ，７ｃ）は、各々の上端部間に渡る上端水平枠９を介して互いに連結される。上端水平枠９の直ぐ上方には、同じく第二及び第三垂直枠７ｂ，７ｃの上端部間に渡る連結梁１１が架設される。連結梁１１は、一対の支持金具１２を介して足場用梁４に取り付けられる。
【００１５】
各垂直枠７の上下中間部は、組体水平枠１３により連結される。組体水平枠１３は、第一及び第二垂直枠７ａ，７ｂ間、第二及び第三垂直枠７ｂ，７ｃ間、及び第三及び第四垂直枠７ｃ，７ｄ間にそれぞれ架設される三本の水平枠１４からなる。各水平枠１４は例えば丸鋼管からなり、その両端部を平板状に圧潰することで、各垂直枠７の上下中間部との連結部を形成する。
【００１６】
第一垂直枠７ａの上下中間部と第二垂直枠７ｂの上端部との間、第一垂直枠７ａの下端部と第二垂直枠７ｂの上下中間部との間、第三垂直枠７ｃの上端部と第四垂直枠７ｄの上下中間部との間、及び第三垂直枠７ｃの上下中間部と第四垂直枠７ｄの下端部との間には、それぞれブレース１５が架設される。
【００１７】
各ブレース１５は例えば丸鋼管からなり、その両端部を平板状に圧潰することで、各垂直枠７との連結部を形成する。先組み部分６ａでは、第一垂直枠７ａの上下中間部と第二垂直枠７ｂの上端部との間、及び第一垂直枠７ａの下端部と第二垂直枠７ｂの上下中間部との間に、それぞれ各ピッチ間に渡る昇降設備としての階段１６が架設される。なお、足場用梁４及び組体水平枠１３には不図示の足場板が設置される。
【００１８】
各垂直枠７の下端部は、第一及び第四垂直枠７ａ，７ｄ間に渡る吊り用梁１７により連結される。吊り用梁１７の下方には、足場組体６の後組み部分６ｂが吊り下げられる。なお、吊り用梁１７にも不図示の足場板が設置される。
【００１９】
後組み部分６ｂは、フラットな帯状の鋼材（フラットバー）を主に四本の垂直枠２１を形成する。各垂直枠２１は、その上端部が吊り用梁１７にボルトナット等の締結具により取り付けられる。各垂直枠２１は、後組み部分６ｂにおける一ピッチ分の長さを有し、これら各垂直枠２１がそれぞれ複数ピッチ分連結されて用いられる。
【００２０】
すなわち、各垂直枠２１の下端部には、その下方に連なる各垂直枠２１の上端部が、それぞれボルトナット等の締結具により取り付けられる。このように、四本の垂直枠２１をそれぞれ上下に複数連結することで、後組み部分６ｂの上下に渡る四本の組体垂直枠２２が形成される。以下、各組体垂直枠２２を図中左側から順に第一〜第四組体垂直枠２２ａ〜２２ｄということがある。
【００２１】
各組体垂直枠２２における各垂直枠２１間の連結部は、それぞれ不図示の水平枠により連結される。この水平枠には、不図示の足場板が設置される。
【００２２】
後組み部分６ｂの任意のピッチにおいて、第二組体垂直枠２２ｂの垂直枠２１の下端部と第三組体垂直枠２２ｃの垂直枠２１の上端部との間には、昇降設備としての階段２３が架設される。また、任意のピッチにおける第三組体垂直枠２２ｃの垂直枠２１の上下中間部とその下方のピッチにおける第二組体垂直枠２２ｂの垂直枠２１の上下中間部との間には、階段２３と平行をなすメインブレース２４が架設される。
【００２３】
後組み部分６ｂの任意のピッチにおいて、各垂直枠２１の上下中間部は、上手すり（上組体水平枠）２５を介して互いに連結されると共に、上手すり２５よりも下方の部位は、下手すり２７（下組体水平枠）を介して互いに連結される。
【００２４】
上手すり２５は、第一及び第二組体垂直枠２２ａ，２２ｂ間、第二及び第三組体垂直枠２２ｂ，２２ｃ間、及び第三及び第四組体垂直枠２２ｃ，２２ｄ間にそれぞれ架設される三本の上水平枠２６からなる。同様に、下手すり２７は、第一及び第二組体垂直枠２２ａ，２２ｂ間、第二及び第三組体垂直枠２２ｂ，２２ｃ間、及び第三及び第四組体垂直枠２２ｃ，２２ｄ間にそれぞれ架設される三本の下水平枠２８からなる。
【００２５】
以下、各上水平枠２６を図中左側から順に上第一〜上第三水平枠２６ａ〜２６ｃといい、各下水平枠２８を図中左側から順に下第一〜下第三水平枠２８ａ〜２８ｃということがある。
各水平枠２６，２８は例えば丸鋼管からなり、その両端部を平板状に圧潰することで、各垂直枠２１（各組体垂直枠２２）との連結部を形成する。
【００２６】
図２，３を併せて参照して説明すると、各水平枠２６，２８の図中右側の端部には、各垂直枠２２に形成された係止孔３２に係合可能な係止ピン３１が固設される。一方、各水平枠２６，２８の図中左側の端部には、各第二水平枠２６ｂ，２８ｂ及び各第三水平枠２６ｃ，２８ｃでは各垂直枠２２に形成したものと同様の係止孔３２が形成され、各第一水平枠２６ａ，２８ａでは図中右側の端部に固設したものと同様の係止ピン３１が固設される。
【００２７】
すなわち、各第一水平枠２６ａ，２８ａのみ両端部に係止ピン３１を備え、各第二水平枠２６ｂ，２８ｂ及び各第三水平枠２６ｃ，２８ｃは右端部に係止ピン３１を、左端部に係止孔３２をそれぞれ備える。
一方、各垂直枠２１（各組体垂直枠２２）は係止孔３２のみ備える。なお、図示都合上、図３では上水平枠２６のみ示すが、上述の如く下水平枠２８も同様の構成を有する。
【００２８】
図３を参照し、係止ピン３１は、例えば鍛造成形品である略円柱状のピン本体３１ａと、ピン本体３１ａ内に揺動可能に保持される帯状鋼材からなる返し板３１ｂとを有する。ピン本体３１ａは、その先端部が球状に形成される一方、基端部が各水平枠２６，２８の端部にそれぞれ溶接又は締結等により固定される。
【００２９】
ピン本体３１ａの先端側にはスリットが形成され、このスリットに対して返し板３１ｂが出没する。返し板３１ｂの一端側はピン本体３１ａの先端側に揺動可能に枢支され、他端側はピン本体３１ａの基端側から外周側に所定量突出可能とされる。
【００３０】
返し板３１ｂには、前記他端側をピン本体３１ａの外周側に突出させるべく付勢力が付与される。係止ピン３１を係止孔３２に挿入した際には、前記付勢力により返し板３１ｂが係止孔３２よりも外周側に張り出すように突出して係止ピン３１の係止孔３２からの抜け止めとなる。一方、返し板３１ｂを前記付勢力に抗して前記スリット内に没入させることで、係止ピン３１を係止孔３２に対して着脱可能となる。
【００３１】
なお、組体垂直枠２２ｂ（又は２２ｃ）にその左方に位置する水平枠２６ａ（又は２６ｂ）の右端部を連結する際には、これらの間に組体垂直枠２２ｂ（又は２２ｃ）の右方に位置する水平枠２６ｂ（又は２６ｃ）の右端部が挟み込まれる。これにより、各水平枠２６ａ，２６ｂ（又は２６ｂ，２６ｃ）及び組体垂直枠２２ｂ（又は２２ｃ）の三者が一体的に連結される。この点は下水平枠２８でも同様である。
【００３２】
また、図１，２を参照し、上第二水平枠２６ｂの端部においては、各水平枠２６ａ，２６ｂ（又は２６ｂ，２６ｃ）及び組体垂直枠２２ｂ（又は２２ｃ）の他にメインブレース２４を含む四者が一体的に連結される。
【００３３】
ここで、各第一水平枠２６ａ，２８ａの間、及び各第三水平枠２６ｃ，２８ｃの間には、上第一水平枠２６ａの右端部と下第一水平枠２８ａの左端部との間、及び上第三水平枠２６ｃの右端部と下第三水平枠２８ｃの左端部との間に渡るブレース３３がそれぞれ架設される。
【００３４】
ブレース３３は例えば丸鋼管からなり、その両端部を平板状に圧潰することで、上第一及び上第三水平枠２６ａ，２６ｃの右端部の下方に突設された上連結部３４との連結部、並びに下第一及び下第三水平枠２８ａ，２８ｃの左端部の上方に突設された下連結部３５との連結部をそれぞれ形成する。
【００３５】
ブレース３３の両端部は、それぞれ上下水平枠２６，２８及びブレース３３と直交するように配置された連結ピン３６を介して、各連結部３４，３５に回動可能に連結される。なお、連結ピン３６と前記係止ピン３１とは互いに平行となるように設けられる。
【００３６】
これにより、上下水平枠２６，２８及びブレース３３を必要に応じて容易に折り畳みかつ展開することが可能となり、上下水平枠２６，２８及びブレース３３の保管時や搬送時にはこれらを棒状に折り畳んでコンパクトに取り扱うことができると共に、吊り足場１の組み立て時には上下水平枠２６，２８及びブレース３３をＺ形に展開して組体垂直枠２２に同時に組み付けることができる。このとき、前記係止ピン３１及び係止孔３２を用いることで、組体垂直枠２２に対する上下水平枠２６，２８の着脱も容易である。
【００３７】
以上説明したように、上記実施形態における仮設足場構造は、ボイラ２等の建造物の各種作業に用いられる吊り足場１の構造において、隣接する一対の垂直枠２１間に架け渡される上下一対の水平枠２６，２８と、前記各水平枠２６，２８の互い違いの端部間に架け渡されるブレース３３とを備え、前記各水平枠２６，２８の端部と前記ブレース３３の端部とが回動可能に連結されるものである。
【００３８】
この構成によれば、吊り足場１に設けるブレース３３を介して上下一対の水平枠２６，２８を折り畳み可能に連結することで、各水平枠２６，２８及びブレース３３の三者を一体的かつ折り畳み可能に取り扱うことができ、各水平枠２６，２８及びブレース３３の搬送や組み立てを容易にできる。また、足場架設作業の工数低減によるコスト削減を図ることができる。
【００３９】
また、上記仮設足場構造は、返し板３１ｂの突出により係止孔３２からの抜け止めがなされると共に前記返し板３１ｂの没入により前記係止孔３２に対して着脱自在となる係止ピン３１を備え、前記各水平枠２６，２８の一端部には前記係止ピン３１が、他端部には前記係止孔３２がそれぞれ設けられ、前記各水平枠２６，２８がそれぞれ複数連結されることで、平面状をなす足場組体６の上下一対の組体水平枠（上下手すり２５，２７）が形成され、前記各組体水平枠の両端部に前記係止ピン３１が位置するように、前記各組体水平枠の一方の最外側に位置する第一水平枠２６ａの両端部に前記係止ピン３１が設けられるものである。
【００４０】
この構成によれば、各水平枠２６，２８を複数連結して各組体水平枠（手すり２５，２７）を形成する際に、各水平枠２６，２８の端部同士を係止ピン３１及び係止孔３２により着脱容易に連結できる。また、各組体水平枠（手すり２５，２７）の両端部は共に係止ピン３１により各垂直枠２１に連結されるため、各組体水平枠の長手方向の差異を無くすことができる。さらに、各垂直枠２１には係止孔３２のみを設けておけばよく、その構成を簡素化できる。
【００４１】
なお、上記実施形態では、各水平枠２６，２８の連結部３４，３５とブレース３３の両端部とを連結する連結ピン３６は段付きボルト等からなるが、これに限らず、各水平枠２６，２８の連結部３４，３５に、係止ピン３１及び係止孔３２の一方を設け、ブレース３３の両端部に、係止ピン３１及び係止孔３２の他方を設けた構成としてもよい。
【００４２】
この場合、各水平枠２６，２８とブレース３３とを着脱容易（分解容易）にしてこれらの保管や搬送の自由度を向上できる。また、ブレース３３連結用の係止ピン３１及び係止孔３２を各水平枠２６，２８連結用の係止ピン３１及び係止孔３２と共用することで、さらなるコストダウンを図ることができる。
【００４３】
なお、本発明は上記実施形態に限られるものではなく、例えば、手すり２５，２７以外の水平枠（組体水平枠）を用いてもよい。また、吊り足場１に限らず接地型の仮設足場に適用してもよい。さらに、各水平枠２６，２８に係止孔３２を、ブレース３３に係止ピン３１をそれぞれ設けた構成としてもよい。
そして、上記実施形態における構成は本発明の一例であり、当該発明の要旨を逸脱しない範囲で種々の変更が可能であることはいうまでもない。
【符号の説明】
【００４４】
１  吊り足場（仮設足場）
２  ボイラ（建造物）
２１  垂直枠
２５，２７  手すり（組体水平枠）
２６，２８  水平枠
３１  係止ピン
３１ｂ  返し板
３２  係止孔
３３  ブレース
３４，３５  連結部
【図１】
0005600609.tif 000002
【図２】
0005600609.tif 000003
【図３】
0005600609.tif 000004